(57)【特許請求の範囲】
【請求項１】
横並びの複数の垂木に亘って架設されるシート材であって、
少なくとも片面側に熱反射面を有し、
前記複数の垂木それぞれに載せるための、硬質材からなる複数の載置部と、
それぞれ下方に凸となるように変形可能であって横並びの前記垂木間の距離よりも長い幅の複数の通気用仕切り部と、を備え、
前記載置部と前記通気用仕切り部とが１つずつ交互に並んで設けられており、
前記複数の通気用仕切部のそれぞれは、横並びの前記垂木間で当該横並びの方向に谷型をなすための折り目を有することを特徴とするシート材。
【請求項２】
前記通気用仕切部は、自重で変形可能な軟質材で形成されていることを特徴とする請求項１に記載のシート材。
【請求項３】
前記載置部は、前記垂木に載せられる側の面に粘着部を有することを特徴とする請求項１または２に記載のシート材。
【請求項４】
少なくとも片面側に熱反射面を有するシート材を、横並びの複数の垂木に亘って架設させてなる屋根下地構造であって、
前記シート材は、
硬質材からなる複数の載置部と、
屈曲自在な複数の通気用仕切り部と、を備え、
前記載置部と前記通気用仕切り部とが１つずつ交互に並んで設けられており、
前記複数の載置部は、前記複数の垂木にそれぞれ載せてあり、
前記複数の前記通気用仕切り部のそれぞれは、折り目を有し、横並びの前記垂木間で当該横並びの方向に谷型をなしていることを特徴とする屋根下地構造。
【請求項５】
前記通気用仕切り部は自重で変形可能な軟質材で形成されていることを特徴とする請求項４に記載の屋根下地構造。
【請求項６】
前記載置部は、前記垂木に載せられる側の面に粘着部を有し、前記垂木に粘着されていることを特徴とする請求項４または５に記載の屋根下地構造。
【発明の詳細な説明】
【技術分野】
【０００１】
本発明は、住宅等の屋根部分の遮熱及び通気を図るために用いられるシート材及び屋根下地構造に関する。
【背景技術】
【０００２】
従来から、住宅等の屋根部分の遮熱及び通気を図るために、瓦等の屋根材の下地となる野地板が載置される横並びの複数の垂木２上に、図４に示すように、断熱パネル９を架設することが提案されている（特許文献１等参照）。
【０００３】
特許文献１の断熱パネル９は、２つの支持片９１と、その間に位置する凹溝９０とを備えている。凹溝９０は、横並びの垂木２間の距離に合わせて所定のサイズで形成されている。凹溝９０の上面には、熱を反射する熱反射シート９２が貼付されている。断熱パネル９は、ポリ塩化ビニル、ポリプロピレン、ポリエチレン等の硬質材を用いて形成されている。
【０００４】
この断熱パネル９は、横並びの垂木２に２つの支持片９１をそれぞれ載せ、この横並びの垂木２間に凹溝９０を配置することによって、屋根部分の遮熱及び通気を図る。
【先行技術文献】
【特許文献】
【０００５】
【特許文献１】特開２００３−９００８８号公報
【発明の概要】
【発明が解決しようとする課題】
【０００６】
しかし、上述した断熱パネル９は、サイズが１つに決まっているため、横並びの垂木２間の距離によっては、取り付けることができない。
【０００７】
ここで、垂木２は、棟から軒先にわたす長い木材であり、複数の垂木２を、屋根部分に横並びに等間隔で配置する施工には手間がかかる。
【０００８】
また、垂木２間の距離に合わせて様々なサイズの断熱パネル９を形成するのは、製造コストが嵩む。
【０００９】
そこで、上記事情を鑑みて、本発明は、横並びの垂木間の距離に関わらず設置できて、屋根部分の遮熱と通気を図ることができるシート材及び屋根下地構造を提案することを課題とする。
【課題を解決するための手段】
【００１０】
上記課題を解決するために本発明のシート材は、横並びの複数の垂木に亘って架設されるシート材であって、少なくとも片面側に熱反射面を有し、前記複数の垂木それぞれに載せるための、硬質材からなる複数の載置部と、それぞれ下方に凸となるように変形可能であって横並びの前記垂木間の距離よりも長い幅の複数の通気用仕切り部と、を備え、前記載置部と前記通気用仕切り部とが１つずつ交互に並んで設けられており、前記複数の通気用仕切部のそれぞれは、横並びの前記垂木間で当該横並びの方向に谷型をなすための折り目を有することを特徴とする。
【００１２】
また、前記通気用仕切り部は自重で変形可能な軟質材で形成されていることが好ましい。
【００１３】
また、前記載置部は、前記垂木に載せられる側の面に粘着部を有することが好ましい。
【００１４】
また、上記課題を解決するために本発明の屋根下地構造は、少なくとも片面側に熱反射面を有するシート材を、横並びの複数の垂木に亘って架設させてなる屋根下地構造であって、前記シート材は、硬質材からなる複数の載置部と、屈曲自在な複数の通気用仕切り部と、を備え、前記載置部と前記通気用仕切り部とが１つずつ交互に並んで設けられており、前記複数の載置部は、前記複数の垂木にそれぞれ載せてあり、前記複数の前記通気用仕切り部のそれぞれは、折り目を有し、横並びの前記垂木間で当該横並びの方向に谷型をなしていることを特徴とする。
【００１６】
また、前記通気用仕切り部は自重で変形可能な軟質材で形成されていることが好ましい。
【００１７】
また、前記載置部は、前記垂木に載せられる側の面に粘着部を有し、前記垂木に粘着されていることが好ましい。
【発明の効果】
【００１８】
本発明は、シート材の通気用仕切り部の屈曲量を、横並びの垂木間の距離に合わせて調整することで、垂木上に載置される横並びの載置部間の距離を調整することができる。これにより、本発明は、横並びの垂木間の距離に関わらず設置できる。また、シート材は熱反射面を備え、下方に屈曲させた通気用仕切り部の上方に通気用の空間を形成することができる。これにより、本発明は、屋根部分の遮熱及び通気を図ることができる。
【図面の簡単な説明】
【００１９】
【図１】（ａ）は本発明の第一実施形態の屋根下地構造に、野地板、ルーフィング、及び屋根材を載せた状態を示す正面図であり、（ｂ）はこの屋根下地構造に用いられるシート材の平面図である。
【図２】同上の屋根下地構造を示す斜視図である。
【図３】本発明の第二実施形態の屋根下地構造に、野地板、ルーフィング、及び屋根材を載せた状態を示す正面図である。
【図４】従来例の屋根下地構造を示す斜視図である。
【発明を実施するための形態】
【００２０】
以下、本発明の実施形態について添付図面に基づいて説明する。
【００２１】
第一実施形態の屋根下地構造は、図１（ａ）に示すように、横並びに配置された複数の垂木２と、この複数の垂木２に亘って架設されるシート材１からなる。この屋根下地構造は、建物の屋根部分に用いられ、この屋根部分の遮熱と通気を図るものである。なお、この屋根下地構造は、新築用としてもリフォーム用としても用いることができる。
【００２２】
シート材１が架設された横並びの複数の垂木２には、合板等の野地板２０が載置され、その上に防水用のルーフィング２１が敷かれ、その上に瓦等の屋根材２２が敷かれることで、建物の屋根部分が形成される。ルーフィング２１は、防水シートであり、例えば、フェルトにアスファルトを染み込ませたシートが用いられる。
【００２３】
垂木２は、棟から軒先にわたす長い木材である。図１（ａ）に示す実施形態では、垂木２が横並びに複数（図では６本）配置されている。この横並びの垂木２間の距離は、一定であることが好ましいが、本実施形態では、垂木２間の距離をＬ１とした箇所と、垂木２間の距離をＬ２（Ｌ１＞Ｌ２）とした箇所とを設けている。この垂木２間の距離Ｌ１，Ｌ２は、例えば２５０ｍｍ〜４５０ｍｍである。なお、垂木２間の距離は、棟側から軒先側に亘って一定となるように、垂木２を配置することが好ましいが、棟側と軒先側とで差があってもよい。
【００２４】
本実施形態の屋根下地構造に用いられるシート材１は、図１（ｂ）に示すように、横並びの複数の垂木２にそれぞれ載置するための複数の載置部４と、横並びの載置部４間にそれぞれ位置する屈曲自在な複数の通気用仕切り部５とを備えている。載置部４と通気用仕切り部５とは横方向に交互に配置されている。シート材１は、平面視矩形状をなし、載置部４と通気用仕切り部５が並ぶ方向が長さ方向となっており、この長さ方向に直交する方向が幅方向となっている。以下、載置部４と通気用仕切り部５と垂木２についても、シート材１の長さ方向と幅方向とを用いて説明する。本実施形態の載置部４と通気用仕切り部５とは、平面視矩形状をなし、シート材１の長さ方向の長さよりも、シート材１の幅方向の長さが長いものとなっている。本実施形態のシート材１は、幅方向の長さが、垂木２の幅方向（長手方向）の長さよりも短くなるように形成されている。そのため、横並びの複数の垂木２には、軒先側から棟側にかけて、複数枚のシート材１が架設される。なお、シート材１は、幅方向の長さが垂木２の幅方向（長手方向）長さと同じ、またはそれ以上のものであってもよい。
【００２５】
本実施形態のシート材１では、複数の載置部４は、合成樹脂等の硬質材で形成されている。そして、複数の通気用仕切り部５は、樹脂フィルムや、不織布、紙等の自重によって変形可能な軟質材で形成されている。なお、通気用仕切り部５は、樹脂フィルムで形成することで、防水性に優れたものとすることができる。
【００２６】
本実施形態では、通気用仕切り部５の上面に、アルミ蒸着が為されて、熱を反射するための熱反射面３が形成されている。このアルミ蒸着された通気用仕切り部５の厚みは、例えば１ｍｍ程度である。なお、熱反射面３は、熱を反射すればよく、このアルミ蒸着によって得られるものに限定されない。また、本実施形態では、通気用仕切り部５の上面にだけ熱反射面３を形成しているが、載置部４の上面にも熱反射面３を形成してもよいし、通気用仕切り部５の下面と載置部４の下面にも熱反射面３を形成してもよい。つまり、シート材１は、少なくとも片面側に熱反射面３を有していればよい。
【００２７】
また、本実施形態のシート材１には、横並びの複数の垂木２に亘って架設した際に、横並びの垂木２間で通気用仕切り部５が谷型をなすように、通気用仕切り部５には、シート材１の長さ方向の両端と、その中央部にシート材１の幅方向に亘って折り目６が形成されている。この両端の折り目６は山型に折れ曲がるように設けられており、中央部の折り目６は谷型に折れ曲がるように設けられている。なお、折り目６の形成方法としては、例えば、その部分を少なくとも１回折り曲げて所定の方向に折り曲がるように癖を付ける方法や、その折り目６部分の厚みを他の部分と比べて薄く形成することで所定の方向に折れ曲がり易くする方法が挙げられる。この通気用仕切り部５のシート材１の長さ方向の両端の折り目６は、載置部４との境界線となっている。
【００２８】
また、本実施形態では、載置部４のシート材１の長さ方向の長さが、垂木２の長さ方向（短手方向）の長さと同じか、あるいはそれよりも若干長くなるように形成されている。複数の載置部４のシート材１の長さ方向の長さは同一となるように形成されている。また、通気用仕切り部５のシート材１の長さ方向の長さＬ３は、設置先である横並びの垂木２間の距離よりも長くなるように形成されている。この通気用仕切り部５の長さＬ３は、例えば５００ｍｍ程度である。複数の通気用仕切り部５のシート材１の長さ方向の長さは、同一となるように形成されている。
【００２９】
また、本実施形態のシート材１では、載置部４の下面（垂木２に載せられる側の面）に、粘着部７が形成されている。粘着部７としては、粘着剤や粘着テープ等が挙げられる。
【００３０】
続いて、上述したシート材１を横並びの複数の垂木２に亘って架設する施工手順の一例について説明する。
【００３１】
まず、建物の屋根部分に、複数の垂木２を横並びに配置する。次いで、この横並びの複数の垂木２に亘ってシート材１を架設する。このとき、シート材１の複数の載置部４をそれぞれ横並びの複数の垂木２に載置し、この横並びの載置部４間の通気用仕切り部５を、横並びの垂木２間で下方に谷型をなすように屈曲させて配置する。載置部４は、粘着部７によって垂木２に粘着させる。
【００３２】
以上のようにしてシート材１を、横並びの複数の垂木２の軒先側に架設した後、次の新しいシート材１を、この架設済のシート材１の棟側に架設する。このとき、図２に示すように、軒先側のシート材１の棟側の端部に、棟側のシート材１の軒先側の端部を上から重ねて配置する。このようにすることで、防水性が向上する。
【００３３】
以上のようにシート材１が架設された横並びの複数の垂木２に、野地板２０を載せ、この野地板２０の上にルーフィング２１を敷き、このルーフィング２１の上に屋根材２２を載せる。このようにすることで、図１（ａ）に示す、垂木２とシート材１とからなる屋根下地構造の上に、野地板２０とルーフィング２１と屋根材２２を配した屋根構造が形成される。
【００３４】
上述した屋根構造では、通気用仕切り部５は、横並びの垂木２間の距離に応じて、下方への屈曲量が調整される。すなわち、図１（ａ）に示すように、横並びの垂木２間の距離がＬ２の箇所では、垂木２間の距離がＬ１（Ｌ１＞Ｌ２）の箇所よりも、通気用仕切り部５が下方へ大きく屈曲する。このように、横並びの垂木２間の距離に応じて、通気用仕切り部５の屈曲量が変化することで、垂木２上に載置される横並びの載置部４間の距離を自在に調節することができる。これにより、本実施形態のシート材１は、横並びの垂木２間の距離に関わらず、この垂木２上に設置できるものとなっている。
【００３５】
上述した屋根構造では、シート材１の通気用仕切り部５の上面に熱反射面３が形成されているため、この熱反射面３によって、太陽熱や太陽熱によって温められた屋根材２２や野地板２０の輻射熱を反射して、屋根部分の遮熱を行うことができる。
【００３６】
また、上述した屋根構造では、シート材１の下方に屈曲した通気用仕切り部５と、野地板２０の間に、通気用の空間８を形成することができる。そのため、この空間８に空気の流れを発生させることによって、野地板２０や、この空間８の温度を下げることができる。なお、空間８の空気は太陽熱や輻射熱や反射熱によって温められると上方へと流れ、これにより、垂木２の軒先側から棟側へと流れる空気の流れが発生することとなり、この空間８に温かい空気が滞留することを抑制できる。以上のように、上述した実施形態の屋根構造では、屋根部分の通気を行うことができる。
【００３７】
加えて、本実施形態では、野地板２０と垂木２とで挟まれる載置部４を硬質材で形成して、強度を高めたことで、シート材１が痛み難く、長期に亘って使用できるものとなっている。また、この載置部４と通気用仕切り部５との間に折り目６を形成するとともに、載置部４を硬質材で形成し通気用仕切り部５を軟質材で形成したことで、載置部４と通気用仕切り部５の区切り目がわかり易く、施工しやすいものとなっている。また、通気用仕切り部５のシート材１の長さ方向の中央部に折り目６を設けたことで、通気用仕切り部５の屈曲可能な上下幅を最大限（通気用仕切り部５の長さＬ３の半分）まで広げることができている。
【００３８】
上述した第一実施形態の屋根下地構造では、シート材１の通気用仕切り部５を、可撓性の軟質材で形成した例について説明したが、通気用仕切り部５は、載置部４と同様に硬質材で形成されていてもよい。その場合、通気用仕切り部５のシート材１の長さ方向の両端部とその中央部の折り目６部分がヒンジとして機能するように、この折り目６部分の厚みを薄くする等して、通気用仕切り部５を屈曲自在なものとすればよい。このように硬質材で形成された屈曲自在な通気用仕切り部５を備えるシート材１は、全体的な強度が増しており、長期に亘って使用することができる。
【００３９】
続いて、図３に示す第二実施形態の屋根下地構造について説明する。第二実施形態の屋根下地構造は、第一実施形態の屋根下地構造とは、使用されるシート材１が異なる。第一実施形態の屋根下地構造と同じ構成については図中に同じ符号を付けて説明を省略し、異なる構成について詳しく説明する。
【００４０】
第二実施形態の屋根下地構造に用いられるシート材１では、載置部４が硬質材で形成され、通気用仕切り部５が、樹脂フィルムや、不織布、紙等の自重によって変形自在な（屈曲自在な）軟質材で形成されている。そして、載置部４の下面には粘着部７が形成されており、通気用仕切り部５の上面には熱反射面３が形成されている。この通気用仕切り部５には、折り目が形成されていない。
【００４１】
そのため、第二実施形態の屋根下地構造では、図３に示すように、シート材１を横並びの複数の垂木２に亘って架設した際に、横並びの垂木２間で、シート材１の通気用仕切り部５が下方に凸となる円弧状に撓む（屈曲する）。
【００４２】
この通気用仕切り部５の撓む量（屈曲量）は、横並びの垂木２間の距離に応じて自動的に調整される。つまり、垂木２上に載置される横並びの載置部４間の距離を自在に調節することができる。これにより、第二実施形態のシート材１は、横並びの垂木２間の距離に関わらず、垂木２に設置することができる。
【００４３】
加えて、第二実施形態のシート材１には、折り目を形成しなくてもよいので、第一実施形態のシート材１に比べて、製造コストを抑えることができる。また、第二実施形態のシート材１は、折り目を備えていないため、ロール状態にしやすく、搬送等の際、嵩張りにくい。
【００４４】
以上まとめると、第一及び第二実施形態の屋根下地構造に用いられるシート材１は、横並びの複数の垂木２に亘って架設されるシート材１である。このシート材１は、少なくとも片面側に熱反射面３を有し、複数の垂木２それぞれに載せるための複数の載置部４と、横並びの載置部４間に位置する屈曲自在な通気用仕切り部５と、を備えている。
【００４５】
上述のシート材１は、横並びの複数の垂木２に亘って架設させる際に、複数の載置部４を横並びの複数の垂木２にそれぞれ載せ、横並びの垂木２間に通気用仕切り部５を下方に屈曲させて配置することができる。しかもこのとき、通気用仕切り部５の屈曲させる量を、横並びの垂木２間の距離に応じて調整することができる。つまり、垂木２上に載置される横並びの載置部４間の距離を自在に調節することができる。これにより、第一及び第二実施形態の屋根下地構造に用いられるシート材１は、横並びの垂木２間の距離に関わらず設置できる。また、このシート材１は、熱反射面３を有し、下方に屈曲させた通気用仕切り部５の上方に（通気仕切り部５と垂木２に載置される野地板２０等との間に）通気用の空間８を形成することができる。そのため、第一及び第二実施形態の屋根下地構造に用いられるシート材１は、屋根部分の遮熱及び通気を図ることができる。
【００４６】
また、第一実施形態の屋根下地構造に用いられるシート材１では、通気用仕切り部５は、横並びの複数の垂木２に亘って架設されたときに谷型をなすための折り目６を有する。
【００４７】
このような構成とすることで、シート材１の通気用仕切り部５が、架設の際に、横並びの垂木２間で谷型をなすように折れ曲がりやすく、このシート材１は、横並びの載置部４間の距離の調節がしやすくなっている。
【００４８】
また、第一及び第二実施形態の屋根下地構造に用いられるシート材１では、載置部４は硬質材で形成され、通気用仕切り部５は自重で変形可能な軟質材で形成されている。
【００４９】
このような構成とすることで、シート材１のうち、垂木２とその上に載置される野地板２０等によって挟まれる部分（載置部４）の強度を高めることができ、垂木２に架設したシート材１を長期に亘って使用することができる。また、通気用仕切り部５を自重で変形可能な軟質材で形成することで、シート材１は複数の載置部４を複数の垂木２にそれぞれ載置することで、横並びの垂木２間で通気用仕切り部５を自動的に下方に屈曲させることができる。しかもこのとき、横並びの垂木２間の距離に合わせて屈曲量が自動的に調整される。これにより、このシート材１は、横並びの垂木２間の距離に関わらず、設置しやすいものとなっている。
【００５０】
また、第一及び第二実施形態の屋根下地構造に用いられるシート材１では、載置部４は、垂木２に載せられる側の面に粘着部７を有する。
【００５１】
このような構成とすることで、このシート材１は、載置部４を粘着部７によって垂木２に粘着させて載置することができる。そのため、シート材１を、横並びの複数の垂木２に亘って架設する際に、載置部４の位置ズレが起こりにくくて、施工がしやすくなっている。
【００５２】
また、第一及び第二実施形態の屋根下地構造は、少なくとも片面側に熱反射面３を有するシート材１を、横並びの複数の垂木２に亘って架設させてなる屋根下地構造である。シート材１は、複数の垂木２それぞれに載せるための複数の載置部４と、横並びの載置部４間に位置する屈曲自在な通気用仕切り部５と、を備える。この屋根下地構造では、シート材１の複数の載置部４を複数の垂木２にそれぞれ載せ、通気用仕切り部５を横並びの垂木２間で下方に屈曲させている。
【００５３】
このように屋根下地構造に用いるシート材１の通気用仕切り部５を屈曲自在なものとしたことで、この通気用仕切り部５が配置される横並びの垂木２間の距離に合わせて、通気用仕切り部５の屈曲量を調整することができる。つまり、通気用仕切り部５の両側にある載置部４間の距離を自在に調整することができる。これにより、上述した第一及び第二実施形態の屋根下地構造は、横並びの垂木２間の距離に関わらず適用（設置）することができる。また、シート材１は、熱反射面３を有し、下方に屈曲させた通気用仕切り部５の上方に（通気仕切り部５と垂木２に載置される野地板等との間に）通気用の空間８を形成することができる。そのため、第一及び第二実施形態の屋根下地構造は、屋根部分の遮熱及び通気を図ることもできる。
【００５４】
また、第一実施形態の屋根下地構造では、通気用仕切り部５は、折り目６を有し、横並びの垂木２間で谷型をなしている。
【００５５】
このように、折り目６によってシート材１の通気用仕切り部５が横並びの垂木２間で谷型をなすように折れ曲がることで、第一実施形態の屋根下地構造では、この下方に屈曲させた通気用仕切り部５の上方に通気用の空間８が形成され、屋根部分の通気を図ることができる。
【００５６】
また、第一及び第二実施形態の屋根下地構造では、載置部４は硬質材で形成され、通気用仕切り部５は自重で変形可能な軟質材で形成されている。
【００５７】
このような構成とすることで、第一及び第二実施形態の屋根下地構造では、垂木２とその上に載置される野地板２０等によって挟まれる部分（載置部４）の強度を高めることができ、シート材１が痛みにくく、長期に亘って使用しやすいものとなっている。また、通気用仕切り部５を自重で変形可能な軟質材で形成することで、シート材１は複数の載置部４を複数の垂木２にそれぞれ載置することで、横並びの垂木２間で通気用仕切り部５を自動的に下方に屈曲させることができる。しかもこのとき、横並びの垂木２間の距離に合わせて屈曲量が自動的に調整される。つまり、このシート材１を用いた第一及び第二実施形態の屋根下地構造は、横並びの垂木２間の距離に関わらず適用（設置）しやすいものとなっている。
【００５８】
また、第一及び第二実施形態の屋根下地構造では、載置部４は、垂木２に載せられる側の面に粘着部７を有し、載置部４は垂木２に粘着されている。
【００５９】
このような構成とすることで、第一及び第二実施形態の屋根下地構造では、載置部４の位置がズレにくく、載置部４を垂木２に載せた状態を保持しやすいものとなっている。
【００６０】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００６１】
１      シート材
２      垂木
３      熱反射面
４      載置部
５      通気用仕切り部
６      折り目
７      粘着部
【図１】
0005977977.tif 000002
【図２】
0005977977.tif 000003
【図３】
0005977977.tif 000004
【図４】
0005977977.tif 000005